(57)【特許請求の範囲】
【請求項１】
本体および電磁弁モジュールに係り、
前記本体には、複数の台座を組合せた内部に形成される硬貨が移動する通路を含み、前記通路後部の下に向かって湾曲した通路側部には滑移動溝が設けられ、前記滑移動溝前側には硬貨が退出される返却通路が接続され、前記本体内には前記通路の側壁のいずれか一側に位置し、硬貨の真偽を識別するセンサコイルモジュールがマイクロプロセッサを通じて電気的に接続され、
前記電磁弁モジュールには、前記本体のマイクロプロセッサからの信号を受信して起動される電磁弁が設けられ、前記電磁弁には電磁弁によって前記通路および滑移動溝内で移動するゲートが接続され、前記ゲートの基部には本物の硬貨が上方から下方に通過する貫通溝が設けられ、ゲート又は前記貫通溝と返却通路との間の側壁には弾性板などをブロックして硬貨が取り出されるのを防止する盗難防止板が上方に延伸して設けられることを特徴とする硬貨処理装置の盗難防止装置。
【請求項２】
前記本体の返却通路と滑移動溝との間には、電磁弁モジュールのゲートが位置決めされる係合支持部が設けられることを特徴とする請求項１記載の硬貨処理装置の盗難防止装置。
【請求項３】
前記電磁弁モジュールのゲート基部の電磁弁から離れた側壁は、返却通路と接続され、偽造硬貨が退出される傾斜したストッパ板が設けられ、前記本体の通路の滑移動溝と相対する他側壁には前記ストッパ板が収納される収容溝が設けられ、ゲートのストッパ板は電磁弁の動きを受け通路及び収容溝内を移動することを特徴とする請求項１記載の硬貨処理装置の盗難防止装置。
【請求項４】
前記電磁弁モジュールの電磁弁一側には、可動の接続ロッドが設けられ、前記ゲートの基部の電磁弁に近い側壁には接続ロッドが挿入される対接孔が設けられることを特徴とする請求項１記載の硬貨処理装置の盗難防止装置。
【請求項５】
前記電磁弁モジュールのゲートの貫通溝側壁上方および盗難防止板上部には、硬貨が導引されて前記貫通溝に進入する導入斜面が設けられることを特徴とする請求項１記載の硬貨処理装置の盗難防止装置。
【請求項６】
前記本体の通路上方には、回動する硬貨を通過させ、また、硬貨が引っ張られて取り出されるのを防止する盗難防止フックが設けられることを特徴とする請求項１記載の硬貨処理装置の盗難防止装置。
【請求項７】
前記本体のマイクロプロセッサには、前記硬貨が通過したかどうかを検出するセンサモジュールが電気的に接続されることを特徴とする請求項１記載の硬貨処理装置の盗難防止装置。
【請求項８】
前記本体のマイクロプロセッサには、オシレータ、電源モジュールおよび状態指示灯が電気的に接続されることを特徴とする請求項７記載の硬貨処理装置の盗難防止装置。
【請求項９】
前記本体前側には、パネルが設けられ、前記パネルには前記本体通路および返却通路に対面する投入口および返却口が設けられ、前記投入口と返却口との間には押圧して硬貨の返却を行なうボタンが設けられることを特徴とする請求項１記載の硬貨処理装置の盗難防止装置。
【請求項１０】
前記本体の通路は、前方から後方に下方に傾斜し、後部は下方に湾曲することを特徴とする請求項１記載の硬貨処理装置の盗難防止装置。
【請求項１１】
前記電磁弁モジュールのゲート基部の電磁弁から離れた側壁は、返却通路と接続され、偽造硬貨が退出される傾斜したストッパ板が設けられ、
前記ゲートの貫通溝の前記盗難防止板に近い一側には、糸が滑移動して進入する牽引防止溝が前記ストッパ板の方向に延伸して設けられていることを特徴とする請求項３記載の硬貨処理装置の盗難防止装置。
【請求項１２】
前記牽引防止溝の隣の前記貫通溝に、前記盗難防止板から離れた一側には、糸を導引してスムーズに滑移動させて進入させる導入角部が設けられることを特徴とする請求項１１記載の硬貨処理装置の盗難防止装置。
【発明の詳細な説明】
【技術分野】
【０００１】
本発明は硬貨処理装置の盗難防止装置に関し、特に、電磁弁モジュールのゲートに硬貨が通過する貫通溝が設けられ、貫通溝の、返却通路の隣の側壁には盗難防止板が上方に延伸し、盗難防止板によって返却通路後方がブロックされるので、返却通路から硬貨が盗難されるのを確実に防止することができる盗難防止装置に関する。
【背景技術】
【０００２】
現代の自動販売機、電動玩具および遊戯装置には全て投入された硬貨の額面および真偽を判断できる硬貨処理装置が設けられている。硬貨処理装置の硬貨の額面および真偽を判断するときの正確性は業者の生き残りおよび消費者の利益保護にとって重要であり、更には社会における金融秩序の維持に関わる。現在、業者の多くは壺形コアコイルを使用して金属硬貨の感磁素子を製造している。金属材料は強磁体（鉄、銅およびニッケルなど）と弱磁体（アルミニウムおよび鉛など）に分類される。
【０００３】
その感磁方法は、コイルが導通された後、共振周波数が生成され、各種金属材料から製造された硬貨を感応できる磁場が形成される。硬貨材料の透磁率の違いによって磁場が生成する渦電流が変化するので、所定の周波数共振の下、異なる金属材料の硬貨がコイルを通過したとき、そのインダクタンス値は異なる程度で変化する。一般に壺形コアコイルのインダクタンス量の誤差値は５〜１０％である。また、壺形コアコイルは破損したり、温度変化によってインダクタンス値に誤差が生じたりする。
【０００４】
ある犯罪者は、硬貨処理装置の特性および構造を研究し、硬貨に穴を開け、透明で切れにくい糸を硬貨の穴に通し、その硬貨を硬貨処理装置に投入し、硬貨処理装置が硬貨投入を感知した後、糸を引っ張って投入した硬貨を感磁素子上方まで引き出し、再び糸を緩めて感磁素子を通過させ、上述の動作を繰り返して投入金額の不正を行なう。また、ある犯罪者は弾性の板体をパネルの返却口から本体の返却通路に進入させ、板体をセンサモジュールの受領センサ上方に進入させ、硬貨が本物であると判断された後、硬貨は板体上に落ち、板体に力を加えて弾性変形させて硬貨を移動させ、センサモジュールの受領センサを通過させて受領信号をマイクロプロセッサに送信させる。板体の弾性回復力を利用することによって硬貨を上方に移動させ、板体に沿ってパネルの返却口から排出させ、不正を行なう。
【０００５】
以上のような不正が発生し、その被害額が多額な場合、コストの見地から業者は不正が行なわれた自動販売機、電動玩具または遊戯装置などを撤去せざるを得ず、通常の消費者にとってはそれらが撤去されることによって利便性が失われる。
上述のように従来技術による硬貨処理装置は多くの問題および欠点を有し、如何にして犯罪者が投入金額の不正を行なうのを防止し、業者および消費者の権利および利益を保護するかは本発明の発明者および当該業者が改善したかった問題であった。    
【特許文献１】特開平１０−２２８５５９号公報
【発明の開示】
【発明が解決しようとする課題】
【０００６】
本発明は上述の従来技術の欠点に鑑みなされたもので、本発明の第１の目的は、硬貨が本物であると識別されたとき、電磁弁がゲートを移動させ、ゲートの貫通溝に硬貨を通過させた後、貫通溝の返却通路の隣に設けられた盗難防止板が返却通路後方を確実にブロックすることによって硬貨が取り出されて重複して使用されるのを防止でき、硬貨が偽物であると識別されたとき、偽物の硬貨は返却され、硬貨処理装置の盗難防止機能を高め、業者の利益を保護することができる硬貨処理装置の盗難防止装置を提供することにある。
【０００７】
本発明の第２の目的は、犯罪者が糸を付けた硬貨を使用した場合には、ゲートの貫通溝に糸を付けた硬貨を通過させた後、糸を引っ張っても、糸は垂直方向の応力しか発生せず、ゲートが硬貨を確実にブロックして盗難防止効果を高めることができる硬貨処理装置の盗難防止装置を提供することにある。
また、犯罪者が弾性板を使用した場合には、電磁弁がゲートを移動させ、盗難防止板が貫通溝と返却通路とを隔離させ、板体を返却通路からゲートの貫通溝上方に進入させることができず、犯罪者が弾性板体またはその他の工具を使用して硬貨を取り出し、重複して使用するのを防止できる硬貨処理装置の盗難防止装置を提供することにある。
【課題を解決するための手段】
【０００８】
上記課題を解決するために、本発明者は、関連資料を収集し、本業界における長年の経験、幾度もの試作および修正から、盗難防止効果を高めることができる硬貨処理装置の盗難防止装置に想到した。
請求項１の発明は、硬貨処理装置の盗難防止装置であって、  本体および電磁弁モジュールに係り、
前記本体には、複数の台座を組合せた内部に形成される硬貨が移動する通路を含み、前記通路後部の下に向かって湾曲した(折り曲がった)通路側部には滑移動溝が設けられ、前記滑移動溝前側には硬貨が退出される返却通路が接続され、前記本体内には前記通路の側壁のいずれか一側に位置し、硬貨の真偽を識別するセンサコイルモジュールがマイクロプロセッサを通じて電気的に接続され、
前記電磁弁モジュールには、前記本体のマイクロプロセッサからの信号を受信して起動される電磁弁が設けられ、前記電磁弁には電磁弁によって前記通路および滑移動溝内で移動するゲートが接続され、前記ゲートの基部には本物の硬貨が上方から下方に通過する貫通溝が設けられ、ゲート又は前記貫通溝と返却通路との間の側壁には弾性板などをブロックして硬貨が取り出されるのを防止する盗難防止板が上方に延伸して設けられることを特徴とする。
【０００９】
請求項２の発明は、請求項１記載の硬貨処理装置の盗難防止装置であって、本体の返却通路と滑移動溝との間には、電磁弁モジュールのゲートが位置決めされる係合支持部が設けられることを特徴とする。
請求項３の発明は、請求項１記載の硬貨処理装置の盗難防止装置であって、前記電磁弁モジュールのゲート基部の電磁弁から離れた側壁は、返却通路と接続され、偽造硬貨が退出される傾斜したストッパ板が設けられ、前記本体の通路の滑移動溝と相対する他側壁には前記ストッパ板が収納される収容溝が設けられ、ゲートのストッパ板は電磁弁の動きを受け通路及び収容溝内を移動することを特徴とする。
請求項４の発明は、請求項１記載の硬貨処理装置の盗難防止装置であって、前記電磁弁モジュールの電磁弁一側には、可動の接続ロッドが設けられ、前記ゲートの基部の電磁弁に近い側壁には接続ロッドが挿入される対接孔が設けられることを特徴とする。
【００１０】
請求項５の発明は、請求項１記載の硬貨処理装置の盗難防止装置であって、電磁弁モジュールのゲートの貫通溝側壁上方および盗難防止板上部には、硬貨が導引されて貫通溝に進入する導入斜面が設けられることを特徴とする。
請求項６の発明は、請求項１記載の硬貨処理装置の盗難防止装置であって、本体の通路上方には、回動する硬貨を通過させ、また、硬貨が引っ張られて取り出されるのを防止する盗難防止フックが設けられることを特徴とする。
請求項７の発明は、請求項１記載の硬貨処理装置の盗難防止装置であって、本体のマイクロプロセッサには、硬貨が通過したかどうかを検出するセンサモジュールが電気的に接続されることを特徴とする。
【００１１】
請求項８の発明は、請求項７記載の硬貨処理装置の盗難防止装置であって、本体のマイクロプロセッサには、オシレータ、電源モジュールおよび状態指示灯が電気的に接続されることを特徴とする。
請求項９の発明は、請求項１記載の硬貨処理装置の盗難防止装置であって、本体前側には、パネルが設けられ、パネルには本体通路および返却通路に対面する投入口および返却口が設けられ、投入口と返却口との間には押圧して硬貨の返却を行なうボタンが設けられることを特徴とする。
請求項１０の発明は、請求項１記載の硬貨処理装置の盗難防止装置であって、本体の通路は、前方から後方に下方に傾斜し、後部は下方に湾曲することを特徴とする。  
【００１２】
請求項１１の発明は、請求項３記載の硬貨処理装置の盗難防止装置であって、前記電磁弁モジュールのゲート基部の電磁弁から離れた側壁は、返却通路と接続され、偽造硬貨が退出される傾斜したストッパ板が設けられ、前記ゲートの貫通溝の盗難防止板に近い一側には、糸が滑移動して進入する牽引防止溝がストッパ板の方向に延伸することを特徴とする。
請求項１２の発明は、請求項１１記載の硬貨処理装置の盗難防止装置であって前記牽引防止溝の隣の前記貫通溝に、前記盗難防止板から離れた一側には、糸を導引してスムーズに滑移動させて進入させる導入角部が設けられることを特徴とする。
【発明の効果】
【００１３】
本発明の硬貨処理装置の盗難防止装置によれば、本体の通路後側底部に滑移動溝が設けられ、滑移動溝には硬貨を退出する返却通路が接続され、本体には硬貨の真偽を識別する機能を有するセンサコイルモジュールがマイクロプロセッサを通じて電気的に接続され、電磁弁モジュールの滑移動溝の他側には電磁弁が設けられ、電磁弁には通路および滑移動溝内に位置するゲートが接続され、ゲートの基部上には上下に貫通した貫通溝が設けられ、貫通溝の、返却通路の隣の側壁には盗難防止板が上方に延伸し、硬貨が本物であると識別されたとき、電磁弁がゲートを移動させて貫通溝および盗難防止板を通路内に移動させ、犯罪者が弾性板を返却通路から進入させたとき、盗難防止板が返却通路後方を確実にブロックすることによって硬貨が取り出されて重複して使用されるのを防止でき、硬貨が偽物であると識別されたとき、ゲート基部側壁に設けられたストッパ板が通路内に位置するので、偽物の硬貨はストッパ板および返却通路によって返却され、硬貨処理装置の盗難防止機能を高め、業者の利益を保護することができる。
【００１４】
また、犯罪者が糸を付けた硬貨を使用した場合には、ゲートの貫通溝の盗難防止板の隣の一側には牽引防止溝がストッパ板方向に延伸し、牽引防止溝の、貫通溝と接続され、盗難防止板から離れた一側には導入斜面角部が設けられ、犯罪者がゲートの貫通溝に硬貨を通過させた後、糸を引っ張っても、糸は導入斜面角部によってスムーズに滑移動し、牽引防止溝内に進入してストッパ板に対して垂直方向の応力しか発生せず、ゲートが硬貨を確実にブロックするので盗難防止効果を高めることができる。
さらに、 犯罪者が弾性板を使用した場合には、電磁弁がゲートを移動させ、盗難防止板が貫通溝と返却通路とを隔離させるので、板体を返却通路からゲートの貫通溝上方に進入させることができず、犯罪者が弾性板体またはその他の工具を使用して硬貨を取り出し、重複して使用するのを防止できる。
【発明を実施するための最良の形態】
【００１５】
本発明の目的、特徴および効果を示す実施例を図に沿って詳細に説明する。
図１は本発明の一実施例を示す斜視図であり、図２は本発明の一実施例を示す分解斜視図である。図３は本発明の一実施例を示す分解斜視図であり、図４は本発明の一実施例を示す拡大図であり、図５は本発明の一実施例を示すブロック図である。
これらの図から分かるように、本発明の硬貨処理装置の盗難防止装置は、本体１、電磁弁モジュール２およびパネル３から構成される。
【００１６】
本体１には、硬貨４が前方から後方に移動する傾斜した通路１１が設けられ、通路１１後部は下方に湾曲し、底部には滑移動溝１１１が設けられる。滑移動溝１１１前側には前下方に傾斜した返却通路１１２が接続される。返却通路１１２と滑移動溝１１１との間には階段状の係合支持部１１３が設けられる。通路１１の滑移動溝１１１と相対する他側壁には収容溝１１４が設けられる。通路１１上方には回動可能な盗難防止フック１１５が設けられる。本体１内にはマイクロプロセッサ１２を通じてセンサコイルモジュール１３、センサモジュール１４、オシレータ１５、電源モジュール１６および状態指示灯１７が電気的に接続される。
【００１７】
センサコイルモジュール１３は複数の第１のコイルセンサ１３１および第２のコイルセンサ１３２を有する。センサモジュール１４の本体１通路１１の第２のコイルセンサ１３２下方には糸検出センサ１４１が設けられ、通路１１底部および返却通路１１２内側には受領センサ１４２および返却センサ１４３が設けられる。
【００１８】
電磁弁モジュール２は本体１のマイクロプロセッサ１２と電気的に接続され、電磁弁モジュール２は電磁弁２１およびゲート２２が組立てられて構成される。電磁弁２１一側には接続ロッド２１１が設けられ、ゲート２２の基部２２１の電磁弁２１に近い側壁には接続ロッド２１１が挿入される対接孔２２２が設けられる。基部２２１には硬貨４が上方から下方に通過する貫通溝２２３が設けられ、貫通溝２２３上方周縁側壁には導入斜面２２３１が設けられる。ゲート２２の電磁弁２１から離れた側壁には下方に傾斜し、返却通路１１２と接続されるストッパ板２２４が設けられる。
【００１９】
ゲート２２の貫通溝２２３の、返却通路１１２隣の側壁には盗難防止板２２５が上方に延伸し、盗難防止板２２５上部の貫通溝２２３に近い一側には導入斜面２２５１が設けられる。貫通溝２２３の盗難防止板２２５に近い一側にはストッパ板２２４の方向に牽引防止溝２２６が延伸し、牽引防止溝２２６が貫通溝２２３に接続され、盗難防止板２２５から離れた一側には導入斜面角部２２６１が設けられる。
【００２０】
パネル３の上方には本体１の通路１１に相対する投入口３１が設けられ、投入口３１下方には本体１の返却通路１１２に相対する返却口３２が設けられる。投入口３１と返却口３２との間には押圧して硬貨の返却を行なうボタン３３が設けられる。
【００２１】
上述の部材を組立てるとき、電磁弁モジュール２の電磁弁２１およびゲート２２を本体１の滑移動溝１１１両側に設置し、電磁弁２１の接続ロッド２１１を滑移動溝１１１に挿入してゲート２２の対接孔２２２に接続する。ゲート２２の貫通溝２２３および盗難防止板２２５が滑移動溝１１１内に設置され、ゲート２２のストッパ板２２４が通路１１内に設置される。パネル３を本体１前方に設置し、パネル３の投入口３１および返却口３２をそれぞれ本体１の通路１１および返却通路１１２に対応させ、本発明の組立が完成する。
【００２２】
図２は、本発明の一実施例を示す分解斜視図である。図５は、本発明の一実施例を示すブロック図であり、図６は本発明の一実施例の硬貨を投入する前の動作を示す模式図であり、図７は本発明の一実施例の硬貨がゲートを通過するときの動作および硬貨を返却するときの動作を示す模式図であり、図８は本発明の一実施例の硬貨を返却するときの動作を示す模式図である。
【００２３】
これらの図から分かるように、硬貨４がパネル３の投入口３１から通路１１に投入された後、硬貨４は通路１１内を後方に回動または滑移動し、硬貨４が盗難防止フック１１５に到達したとき、盗難防止フック１１５は下方に回動し、硬貨４が盗難防止フック１１５を通過した後、盗難防止フック１１５は上方に回動して復位する。硬貨４がセンサコイルモジュール１３を通過したとき、センサコイルモジュール１３は硬貨４に対して真偽および額面の識別を行なう。硬貨４が偽物であると識別されたとき、その硬貨は傾斜したストッパ板２２４および返却通路１１２を通過し、パネル３の返却口３２から返却される。硬貨４が本物であると識別されたとき、電磁弁２１がゲート２２を移動させて貫通溝２２３を通路１１内に移動させ、硬貨４は通路１１に沿って下方に移動し、ゲート２２の貫通溝２２３を通過する。
【００２４】
硬貨４が本体１の通路１１に投入された後、センサコイルモジュール１３によって硬貨４の真偽識別が行なわれ、センサコイルモジュール１３の第１のコイルセンサ１３１および第２のコイルセンサ１３２が硬貨４の材質および大きさの測定を行い、取得されたデータをマイクロプロセッサ１２に伝送して内部に保存された所定値と対比し、硬貨４の真偽および額面を判断することができる。硬貨４が本物であるとき、ゲート２２の貫通溝２２３を通過し、センサモジュール１４の受領センサ１４２がマイクロプロセッサ１２に受領信号を送信する。
【００２５】
硬貨４が偽物であるとき、ゲート２２一側のストッパ板２２４に接触し、ストッパ板２２４から返却通路１１２まで移動し、偽造硬貨４がセンサモジュール１４の返却センサ１４３を通過するとき、返却信号をマイクロプロセッサ１２に送信する。マイクロプロセッサ１２は受領信号または返却信号のいずれを受信したかによって、硬貨４が順調に移動しているかを知ることができ、それに対応した処理を行なうことができる。
【００２６】
上述の電磁弁モジュール２の貫通溝２２３およびストッパ板２２４の上方には導入斜面２２３１、２２５１が設けられ、硬貨４が本物であると識別され、通路１１に沿って下方に移動するとき、導入斜面２２３１、２２５１が硬貨４をゲート２２の貫通溝２２３内にスムーズに進入させて硬貨４が返却通路１１２に落下するのを防止し、また、硬貨４がゲート２２上に詰まるのを防止することができる。
【００２７】
従来技術においては、犯罪者が硬貨４上に孔を設け、釣り糸、ナイロン糸、デンタルフロスまたはその他の糸を硬貨４の孔に貫通させて接続し、硬貨４がセンサコイルモジュール１３を通過した後、糸を引っ張って硬貨４を本体１の通路１１から引き上げ、何度もセンサコイルモジュール１３を通過させる不正が行なわれることがあるが、本発明においては、電磁弁２１のゲート２２下方にセンサモジュール１４の受領センサ１４２が設けられているので、硬貨４がゲート２２を確実に通過したかどうかを知ることができ、マイクロプロセッサ１２が所定時間内に硬貨４が受領センサ１４２を通過したという信号を受信しない場合、センサモジュール１４の糸検出センサ１４１が検知を行い、硬貨４に糸が設置されている場合、糸検出センサ１４１が微弱な信号を検知するので、マイクロプロセッサ１２が硬貨４に糸が設けられているかどうかを判断でき、不正行為による被害を防止できる。
【００２８】
従来技術においては、硬貨４がゲート２２の貫通溝２２３を通過した後、ゲート２２の貫通溝２２３は滑移動溝１１１内に退却するが、ゲート２２は一つ以上の弾性部材によって伸縮が行なわれるので、犯罪者が硬貨４に設置した糸を引っ張ったとき、硬貨４は上方に移動してゲート２２に支持され、犯罪者が頻繁にまたは大きな力で糸を更に引っ張った場合、ゲート２２の貫通溝２２３は水平の力を受け、滑移動溝１１１から滑り出し、コイン４が貫通溝２２３から取り出される状況が発生するが、本発明の貫通溝２２３にはストッパ板２２４方向に牽引防止溝２２６が設けられるので、貫通溝２２３が滑移動溝１１１内に退却した後で犯罪者が糸を引っ張った場合、糸は導入斜面角部２２６１の導引によって牽引防止溝２２６内にスムーズに滑移動し、糸が硬貨４を動かしても、ストッパ板２２４に対して垂直の応力のみが発生し、ゲート２２の貫通溝２２３の位置が移動して硬貨４が取り出されるのを防止できる。
【００２９】
従来技術においては、犯罪者が弾性板体(弾性板)をパネル３の返却口３２から本体１の返却通路１１２に進入させ、板体をセンサモジュール１４の受領センサ１４２上方に進入させ、硬貨４が本物であると判断された後、硬貨４は板体上に落ち、板体に力を加えて弾性変形させて硬貨４を移動させ、センサモジュール１４の受領センサ１４２を通過させて受領信号をマイクロプロセッサ１２に送信させ、その後、板体の弾性回復力を利用することによって硬貨４を上方に移動させ、板体に沿ってパネル３の返却口３２から排出させ、不正を行なうことがあるが、本発明においてはゲート２２の返却通路１１２隣の側壁上方に盗難防止板２２５が延伸しており、硬貨４が本物であると識別されたとき、電磁弁２１がゲート２２を移動させ、盗難防止板２２５が貫通溝２２３と返却通路１１２とを隔離させるので、板体を返却通路１１２からゲート２２の貫通溝２２３上方に進入させることができず、犯罪者が弾性板体またはその他の工具を使用して硬貨４を取り出し、重複して使用するのを防止できる。
【００３０】
硬貨４が偽物であると識別されたとき、ゲート２２側壁のストッパ板２２４を返却通路１１２と接続し、偽造硬貨４をストッパ板２２４および返却通路１１２からパネル３の返却口３２に移動させ、偽造硬貨４を返却する。
【００３１】
硬貨４が投入されていないとき、電磁弁モジュール２のゲート２２は滑移動溝１１１内に収納されており、ゲート２２側壁のストッパ板２２４は本体１の通路１１内に位置して返却通路１１２と接続されており、硬貨処理装置が断電、識別不能またはその他の故障状態のときに使用者が硬貨４を投入した場合、硬貨４は返却通路１１２からパネル３の返却口３２に返却されるので、硬貨４が誤って受領されるのを防止し、消費者の権益が保障される。
【００３２】
図２は、本発明の一実施例を示す分解斜視図である。図５は本発明の一実施例を示すブロック図である。図６は本発明の一実施例の硬貨を投入する前の動作を示す模式図である。
これらの図から分かるように、本体１のマイクロプロセッサ１２にはセンサコイルモジュール１３、センサモジュール１４、電磁弁２１が電気的に接続される以外に、更に、オシレータ１５、電源モジュール１６および一つ以上の状態指示灯１７も電気的に接続される。オシレータ１５は硬貨４に対してインダクタンス値の共振測定を行なうことができ、硬貨４の真偽判断の正確性を高めることができる。
【００３３】
電源モジュール１６は本体１に運転に必要な電気を提供できる。マイクロプロセッサ１２はセンサコイルモジュール１３、センサモジュール１４またはオシレータ１５からの信号を受信したり、システムの初期化を行なうときにエラーが発生したり、運転中その他の状況が発生したりした場合、状態指示灯１７のランプに表示することができる。
【００３４】
硬貨４が通路１１内に詰まったり、投入した硬貨４を退出させたいとき、パネル３前側のボタン３３を押圧し、電磁弁２１のゲート２２を移動させると、硬貨４をストッパ板２２４および返却通路１１２からパネル３の返却口３２に移動させることができ、それによって硬貨４を退出させることができる。
【００３５】
本発明は、硬貨処理装置の盗難防止装置を提供するものであり、本体１の通路１１底部に滑移動溝１１１が設けられ、滑移動溝１１１前側には返却通路１１２が設けられ、滑移動溝１１１両側には電磁弁モジュール２の電磁弁２１およびゲート２２がそれぞれ設けられ、硬貨４が本物であると識別されたとき、電磁弁２１がゲート２２を移動させ、ゲート２２の貫通溝２２３に硬貨４を通過させる。貫通溝２２３と返却通路１１２との間に設けられた盗難防止板２２５が返却通路１１２後方をブロックするので、犯罪者が返却通路１１２から硬貨４を盗難するのを防止できる。
【００３６】
以上の説明は、本発明の好適な実施例を示したものであり、本発明の特許請求の範囲を制限するものではなく、本発明の明細書および図面を運用した簡易な修飾および同等効果の変更は全て本発明の特許請求の範囲に含まれる。
上述のように、本発明の硬貨処理装置の盗難防止装置の実施および操作を行なうとき、上述の効果および目的を確実に達成することができる。本発明は実用性に優れた発明であり、特許出願要件を満たすものである。
【図面の簡単な説明】
【００３７】
【図１】本発明の一実施例を示す斜視図である。
【図２】本発明の一実施例を示す分解斜視図である。
【図３】本発明の一実施例を示す分解斜視図である。
【図４】本発明の一実施例を示す拡大斜視図である。
【図５】本発明の一実施例を示すブロック図である。
【図６】本発明の一実施例の硬貨を投入する前の動作を示す模式図である。
【図７】本発明の一実施例の硬貨がゲートを通過するときの動作を示す模式図である。
【図８】本発明の一実施例の硬貨を返却するときの動作を示す模式図である。
【符号の説明】
【００３８】
１  本体
１１  通路
１１１  滑移動溝
１１２  返却通路
１１３  係合支持部
１１４  収容溝
１１５  盗難防止フック
１２  マイクロプロセッサ
１３  センサコイルモジュール
１３１  第１のコイルセンサ
１３２  第２のコイルセンサ
１４  センサモジュール
１４１  糸検出センサ
１４２  受領センサ
１４３  返却センサ
１５  オシレータ
１６  電源モジュール
１７  状態指示灯
２  電磁弁モジュール
２１  電磁弁
２１１  接続ロッド
２２  ゲート
２２１  基部
２２２  対接孔
２２３  貫通溝
２２３１、２２５１  導入斜面
２２４  ストッパ板
２２５  盗難防止板
２２６  牽引防止溝
２２６１  導入斜面角部
３  パネル
３１  投入口
３２  返却口
３３  ボタン
４  硬貨
【図１】
0004688178.tif 000002
【図２】
0004688178.tif 000003
【図３】
0004688178.tif 000004
【図４】
0004688178.tif 000005
【図５】
0004688178.tif 000006
【図６】
0004688178.tif 000007
【図７】
0004688178.tif 000008
【図８】
0004688178.tif 000009